(57)【要約】【課題】装置を小形に構成することであり、２つの通帳発行ビンに対して１つのモータで駆動される搬送機構により通帳を発行可能な通帳発行装置を提供する。【解決手段】モータにより可逆回転駆動される第１のギアと、この第１のギアと噛み合う第２のギアとを有し、第２のギアは、第１のギアの加逆回転に伴いその外周方向に沿って所定範囲、円弧状に可逆移動すると共に可逆回転駆動される。この第２のギアと連結し、この第２のギアと共に所定範囲、円弧状に可逆移動すると共に可逆回転駆動される第１のローラと、この第１のローラと所定の距離を保って平行配置された第２のローラとの間に、無端状の搬送用ベルトを巻き付けた搬送機構を有する。搬送機構は、第１のギアの回転方向により、一端部が可逆移動端のいずれかに移動することにより、これら可逆移動端にそれぞれ設けられた第１及び第２の発行ビンのいずれかから通帳を取り出して搬送する【選択図】図１
2013186582.tif 000002
【特許請求の範囲】
【請求項１】
モータにより可逆回転駆動される第１のギアと、
この第１のギアと噛み合い、第１のギアの加逆回転に伴いその外周に沿って所定範囲、円弧状に可逆移動すると共に可逆回転駆動される第２のギアと、
この第２のギアと連結しこの第２のギアと共に所定範囲、円弧状に可逆移動すると共に可逆回転駆動される第１のローラと、
この第１のローラと所定の距離を保って並列配置された第２のローラを有し、これら第１のローラと第２のローラとの間に無端状の搬送用ベルトが巻き付けられた搬送機構と、
前記第１のローラの円弧状の可逆移動端にそれぞれ設けられ、内部に通帳が積層状態で収容され、前記第１のローラが前記可逆移動端に移動すると、前記第１のローラが設けられた搬送機構の一端部により、前記通帳が一冊ずつ取り出される第１及び第２の発行ビンとを備え、
前記搬送機構は、前記第１のギアの回転方向により、前記一端部が前記可逆移動端のいずれかに移動することで、対応する発行ビンから通帳を取り出して搬送する
ことを特徴とする通帳発行装置。
【発明の詳細な説明】
【技術分野】
【０００１】
本発明の実施形態は、銀行などで用いられ、通帳を一冊ずつ発行する通帳発行装置に関する。
【背景技術】
【０００２】
銀行などでは、通帳を、それが収容された通帳発行ビンから一冊ずつ取り出して発行する通帳発行装置が用いられている。一冊ずつ取り出された通帳には後段の印字装置により所定事項か印字されて顧客に対して発行される。
【０００３】
このような通帳発行装置では、通帳発行ビンに対して、通帳を取り出し搬送する搬送機構を組み合わせて発行ユニットを構成している。すなわち、一つの通帳発行ビンに対して一つの搬送機構が設けられている。このため、２つの通帳発行ビンを有する通帳発行装置では、これら通帳発行ビンに対応して同じ構造の２つの搬送機構が並列して設けられる。この搬送機構は駆動用のモータをそれぞれ有するものであることから、この搬送機構を２つ並列して設けると大きなスペースが必要となり装置が大形化する。
【先行技術文献】
【特許文献】
【０００４】
【特許文献１】特開２００１−１１４４４５号公報
【発明の概要】
【発明が解決しようとする課題】
【０００５】
本発明が解決しようとする課題は、装置を小形に構成することであり、２つの通帳発行ビンに対して１つのモータで駆動される搬送機構により通帳を発行可能な通帳発行装置を提供することにある。
【課題を解決するための手段】
【０００６】
本発明の実施の形態による通帳発行装置は、モータにより可逆回転駆動される第１のギアと、この第１のギアと噛み合い、第１のギアの加逆回転に伴いその外周に沿って所定範囲、円弧状に可逆移動すると共に可逆回転駆動される第２のギアと、この第２のギアと連結しこの第２のギアと共に所定範囲、円弧状に可逆移動すると共に可逆回転駆動される第１のローラと、この第１のローラと所定の距離を保って並列配置された第２のローラを有し、これら第１のローラと第２のローラとの間に無端状の搬送用ベルトが巻き付けられた搬送機構と、前記第１のローラの円弧状の可逆移動端にそれぞれ設けられ、内部に通帳が積層状態で収容され、前記第１のローラが前記可逆移動端に移動すると、前記第１のローラが設けられた搬送機構の一端部により、前記通帳が一冊ずつ取り出される第１及び第２の発行ビンとを備え、前記搬送機構は、前記第１のギアの回転方向により、前記一端部が前記可逆移動端のいずれかに移動することにより、対応する発行ビンから通帳を取り出して搬送することを特徴とする。
【図面の簡単な説明】
【０００７】
【図１】本発明の一実施形態に係る通帳発行装置の作動状態を説明する側面図である。
【図２】本発明の一実施形態に係る通帳発行装置の他の作動状態を説明する側面図である。
【図３】本発明の一実施形態に係る通帳発行装置の構成を設明する平面図である。
【図４】本発明の一実施形態に用いる通帳発行ビンを示す斜視図である。
【発明を実施するための形態】
【０００８】
以下、本発明の実施の形態について、図面を参照して詳細に説明する。
【０００９】
図１及び図２はこの実施の形態に係る通帳発行装置の側面構造を示し、図３はその平面構造を示している。
【００１０】
これらの図で示すように、この通帳発行装置は、２つの通帳発行ビン（以下、第１及び第２の発行ビンと呼ぶ）１１，１２と、これらから通帳を取り出して所定方向に搬送する１つの搬送機構１３と、この搬送機構１３を駆動するモータ１４及び第１、第２のギア１５，１６とで概略構成されている。
【００１１】
第１の発行ビン１１及び第２の発行ビン１２は、それぞれ図４で示すように、ボックス状を成し、その一面には搬送機構１３の一端が挿入できるようにスリット１８が形成され、かつ、このスリット１８に連続して端面には通帳取り出し口１９が形成されている。また、これら第１の発行ビン１１及び第２の発行ビン１２内には、図示しないが、通帳がページを開いた状態で、かつ開いたページ面が、上述したスリット１８を形成した一面に向く状態で積層収容されている。そして、これら発行ビン１１，１２の、スリット１８が形成された通帳取り出し面が、図示右部分で互いに向い合うように上下に配置されている。ここで、図示上方の第１の発行ビン１１は図示右下向きに傾斜しており、図示下方の第２の発行ビン１２は図示右上向きに傾斜して配置されている。
【００１２】
第１のギア１５はその回転中心が、上下に配置された第１の発行ビン１１と第２の発行ビン１２との中間点に位置し、モータ１４の回転軸に設けられた小径ギア２１と噛み合って、このモータ１４により、正回転（図示右回転）及び逆回転（図示左回転）方向に可逆回転駆動される。
【００１３】
第２のギア１６は、第１のギア１５と噛み合い、第１のギア１５の可逆回転に伴い、その外周に沿って、矢印Ａで示すように、所定範囲、円弧状に可逆移動しながら可逆回転駆動される。すなわち、第１のギア１５が正回転（図示右回転）すると、第２のギア１６は図２で示すように図示下方に向って円弧状に移動し、その移動端位置にて図示左回りに回転駆動される。また、第１のギア１５が逆回転（図示左回転）すると、第２のギア１６は図１で示すように図示上方に向って円弧状に移動し、その移動端位置にて図示右回りに回転駆動される。
【００１４】
搬送機構１３は、所定の距離を保って回転軸が並列配置された第１のローラ２２と第２のローラ２３とを有し、これらのローラ２２，２３間には無端状の搬送用ベルト２４が巻き付けられている。第１のローラ２２は、上述した第２のギア１６と共通の回転軸２２ａにより連結し、この第２のギア１６と共に所定範囲、円弧状に可逆移動しながら可逆回転駆動される。一方、第２のローラ２３の回転軸２３ａは一定箇所に位置決めされている。したがって、搬送機構１３は、第１のローラ２２が第２のギア１６と共に矢印Ａで示すように所定範囲、円弧状に可逆移動することにより、第２のローラ２３の回転軸２３ａを支点として、搬送用ベルト２４の長さ方向が所定角度回動する。
【００１５】
前述した第１の発行ビン１１及び第２の発行ビン１２の、図４で示したスリット１８が形成され部分は、第２のローラ２３の回転軸２３ａを支点とし所定角度回動する搬送機構１３の一端部（第１のローラ２２側の端部）の、円弧状を成す可逆移動端のそれぞれに位置している。そして、それぞれの移動端に達した搬送機構１３の一端部が、スリット１８からボックス状の第１の発行ビン１１又は第２の発行ビン１２内に入って、対応する発行ビン１１又は１２内から通帳を取り出せるように構成されている。
【００１６】
搬送機構１３は、その一端（第１のローラ２２側の端部）が、第１のギア１５の回転方向に応じて可逆移動端のいずれかに移動することにより、第１の発行ビン１１及び第２の発行ビン１２のいずれかに、スリット１８を通って挿入される。そして、上述したように、搬送用ベルト２４により、その内部に収容されている通帳を、ピンチローラ２５と共にピンチして取り出し、この通帳２６を第２のローラ２３側に向って搬送する。
【００１７】
なお、搬送機構１３による通帳の取り出し搬送、及び後述する回収動作に干渉しないように、図３で示すように、搬送機構１３を駆動するモータ１４及び第１第２のギア１５，１６は側方に設置している。
【００１８】
図１及び図２に戻って、この搬送機構１３を構成する搬送用ベルト２４の長さ方向中間部には上下一対のピンチローラ２８，２８が設けられている。これら上下一対のピンチローラ２８，２８間には、図示しないが引張バネが設けられており、搬送用ベルト２４上面に載置され搬送される通帳２６を搬送用ベルト２４上に圧接させる。また、この一対のピンチローラ２８，２８は、第１のローラ２２の円弧状の移動により、第２のローラ２３との距離が変化した場合、この距離の変化によって搬送用ベルト２４が撓んでも、この搬送用ベルト２４を内側に押し付けることにより、その張力を維持するように機能する。なお、この一対のピンチローラ２８，２８は図示しない支持フレームなどに設けられた長孔などにより図示上下方向に案内支持されており、搬送機構１３の、第２のローラ２３の回転軸２３ａを支点とした回動に追従して上下方向に移動するように構成されている。
【００１９】
また、搬送機構１３の搬送路上には光学式のセンサー２９を設け、搬送機構１３により搬送される通帳２６の搬送方向の長さを検出する。すなわち、通帳２６は、正常状態ではページが開いた状態で搬送されるが、何らかの異常によりページが閉じた状態で搬送されると搬送方向の長さが短くなる。したがって、通帳２６の搬送方向の長さを検出することで、通帳２６が正常に開いた状態で搬送されているか、異常のため閉じた状態で搬送されているかを検出する。
【００２０】
上記構成において、通帳２６を第１の発行ビン１１から供給する場合は、モータ１４により第１のギア１５を図示左回りに回転させる。この第１のギア１５の図示左回りの回転により、これと噛み合っている第２のギア１６及びこれに連結している第１のローラ２２は、第１のギア１５の外周に沿って矢印Ａで示すように円弧状に上方へ移動し第１の発行ビン１１の図４で示したスリット１８内に挿入され移動を停止する。すなわち、搬送機構１３は、回転軸２３ａを支点として図示時計回りに回動し、その一端部（第１のローラ２５側の端部）は、円弧状に図示上方へ移動して、その移動端に設けられた第１の発行ビン１１内に挿入されて停止する。
【００２１】
この状態において、搬送機構１３は、第１のローラ２２が図示右回りに回転駆動されているので、搬送用ベルト２４も同じく図示右回りに周回しており、第１の発行ビン１１内の通帳２６をピンチローラ２５と共に一冊ピンチし、矢印Ｂ１で示すように第２のローラ２３側に向って搬送する。この搬送途中において、搬送用ベルト２４上の通帳２６は、光学式のセンサー２９によりその搬送方向の長さが検出される。
【００２２】
この結果、通帳２６の長さが、ページを開いた状態の長さであれば、搬送機構１３はそのまま矢印Ｂ１方向への搬送を続け、図示右端から、後段の図示しない印字装置に供給し、所定事項印字の後、顧客へ発行される。
【００２３】
これに対して、通帳２６の長さが、ページを開いた状態の長さでない場合は、通帳２６のページが閉じている可能性が大であり、そのまま搬送しても、後段の印字等が適切に行われなくなる。したがって、モータ１４を逆回転させ第１の歯車１５を図示右回りに回転させ、通帳２６を回収させる。すなわち、第１の歯車１５が図示右回りに回転したことにより、搬送機構１３は回転軸２３ａを支点として図示反時計回りに回動し、その一端部は図２で示すように、他方（図示下方）の移動端に達する。また、第２のギア１６及び第１のローラ２２は図示左回りに回転駆動されるので、搬送用ベルト２４も図示左回りに周回する。そして、この搬送用ベルト２４の図示左回りの周回により、搬送用ベルト２４上の回収対象の通帳は、図示左方に戻され、第１の発行ビン１１と第２の発行ビン１２との間に設けられた図示しない回収ビン内に回収される。
【００２４】
また、この回収動作時、搬送装置１３の一端部は、上述のように、図２で示す下方の移動端である第２の発行ビン１２の、図４で示すスリット１８が形成された通帳発行部に達しており、かつ搬送用ベルト２４が図示左回りに周回していることから、第２の発行ビン１２から通帳２６をピンチローラ２５と共に一冊ピンチし、矢印Ｂ２方向に搬送する。この場合も、搬送途中において、光学式のセンサー２９により通帳２６の搬送方向の長さが検出され、通帳２６の長さが、ページを開いた状態の長さであれば、そのまま矢印Ｂ２方向の搬送を続ける。このため、通帳２６は、図示右端から、後段の図示しない印字装置に供給され、所定事項印字の後、顧客へ発行される。
【００２５】
このように、一方の発行ビン１１から取り出された通帳が、ページが閉じていたことにより回収されても、他方の発行ビン１２から直ちに通帳２６が発行されることとなり、通帳２６の発行状態が途切れることはない。
【００２６】
勿論、第２の発行ビン１２から取り出された通帳が閉じられている場合もあり、この場合は、やはり通帳を回収する。すなわち、第１の歯車１５を図示左回りに回転させ、搬送機構１３を、回転軸２３ａを支点として図示時計回りに回動して、その一端部を図１で示す図示上方の移動端に移動させる。このとき、第２のギア１６及び第１のローラ２２は図示右回りに回転駆動されるので、搬送用ベルト２４も図示右回りに周回する。そして、この搬送用ベルト２４の図示右回りの周回により、回収対象の通帳は図示左方に戻される。
【００２７】
このとき、搬送機構１３は、図１で示すように、図示左端部が上昇した状態にあり、第２の発行ビン１２から取り出された回収対象の通帳２６は、搬送用ベルト２４の下面に沿って搬送されているので、この下面に接するピンチローラ２８より図示左方に戻されると、通帳２６は第２の発行ビン１２上に落下する。第２の発行ビン１２上に落下した回収対象の通帳２６は、第２の発行ビン１２の傾斜角度によって自重で滑り落ち、やはり第１の発行ビン１１と第２の発行ビン１２との間に設けられた図示しない回収ビン内に回収される。
【００２８】
このように、２つの通帳発行ビン１１，１２に対して１台のモータ１４により第１及び第２のギア１５，１６を解して駆動される共通の搬送機構１３を用いて、いずれの発行ビン１１，１２からも通帳発行可能としたので、従来の発行ビン毎にモータを有する搬送機構を並列配置するものに比べ装置構成を大幅に小型化することができる。
【００２９】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３０】
１１，１２…通帳発行ビン
１３…搬送機構
１４…駆動用のモータ
１５…第１のギア
１６…第２のギア
２２…第１のローラ
２３…第２のローラ
２４…無端状の搬送用ベルト
２６…通帳
【図１】
2013186582.tif 000003
【図２】
2013186582.tif 000004
【図３】
2013186582.tif 000005
【図４】
2013186582.tif 000006